(57)【特許請求の範囲】
【請求項１】
ハウジングと、このハウジングの一側面側に設けられ複数の導体部が設けられた回路基板の端部が挿入される挿入部と、前記ハウジングに収容され前記挿入部に配置される箱部を有する端子と、前記箱部の内外に出没可能に設けられ前記回路基板の導体部に接触される接点部を有する弾性片と、前記ハウジングの挿入部に組付けられるホルダと、このホルダに前記端子の箱部側に向けて延設され前記ホルダが前記ハウジングに組付けられるときに前記端子の箱部に挿入され前記弾性片と当接して前記弾性片を変位させて前記接点部を前記箱部外に出させる押上部とを備えたコネクタであって、
前記押上部には、前記弾性片の変位量を超えて前記接点部が前記回路基板の導体部と接触するときに、前記弾性片の変位を許容する吸収部が設けられ、
前記吸収部は、前記弾性片に変位量を超えた力が加わったときに、前記押上部を前記弾性片の変位方向に撓ませ、前記弾性片に加わる力を逃がすバネ部であることを特徴とするコネクタ。
【請求項２】
請求項１記載のコネクタであって、
前記バネ部は、前記押上部を肉抜きすることによって形成されていることを特徴とするコネクタ。
【発明の詳細な説明】
【技術分野】
【０００１】
本発明は、コネクタに関する。
【背景技術】
【０００２】
従来、コネクタとしては、ハウジングと、このハウジングの一側面側に設けられ複数の導体部が設けられた回路基板としての基板部の端部が挿入される挿入部としての開口部と、ハウジングに収容され開口部に配置される箱部を有する端子と、箱部の内外に出没可能に設けられ基板部の導体部に接触される接点部を有する弾性片としての接点バネと、ハウジングの開口部に組付けられるホルダとしてのレセプタクルと、このレセプタクルに端子の箱部側に向けて延設されレセプタクルがハウジングに組付けられるときに接点バネと当接して接点バネを変位させて接点部を箱部外に出させる押上部としての押上突起とを備えたものが知られている（例えば、特許文献１参照）。
【０００３】
このコネクタでは、ハウジングにレセプタクルが組付けられる前の状態で、接点バネが押上突起によって箱部外に出ることがないので、接点バネが箱部によって保護され、接点バネの変形などを防止することができる。
【先行技術文献】
【特許文献】
【０００４】
【特許文献１】特開２０１２−６９４６９号公報
【発明の概要】
【発明が解決しようとする課題】
【０００５】
ところで、上記特許文献１のようなコネクタでは、回路基板の端部がハウジングの挿入部に挿入され、挿入部に配置された端子の接点部が弾性片の弾性力によって回路基板の導体部に接触されている。
【０００６】
しかしながら、上記特許文献１のようなコネクタでは、回路基板の厚さが厚くなってしまった場合、接点部が回路基板の導体部に接触した状態で、弾性片の弾性力では回路基板の厚みを吸収することができず、弾性片が許容できる変位量以上に弾性片に対して変位しようとする力が加わる。
【０００７】
このような弾性片の変位量を超えた力が加わった状態が継続されると、弾性片に永久変形が生じ、接点部における所望の接触荷重を得ることができない恐れがあった。
【０００８】
そこで、この発明は、弾性片の永久変形を抑制でき、所望の接触荷重を保持することができるコネクタの提供を目的としている。
【課題を解決するための手段】
【０００９】
請求項１記載の発明は、ハウジングと、このハウジングの一側面側に設けられ複数の導体部が設けられた回路基板の端部が挿入される挿入部と、前記ハウジングに収容され前記挿入部に配置される箱部を有する端子と、前記箱部の内外に出没可能に設けられ前記回路基板の導体部に接触される接点部を有する弾性片と、前記ハウジングの挿入部に組付けられるホルダと、このホルダに前記端子の箱部側に向けて延設され前記ホルダが前記ハウジングに組付けられるときに前記端子の箱部に挿入され前記弾性片と当接して前記弾性片を変位させて前記接点部を前記箱部外に出させる押上部とを備えたコネクタであって、前記押上部には、前記弾性片の変位量を超えて前記接点部が前記回路基板の導体部と接触するときに、前記弾性片の変位を許容する吸収部が設けられ、前記吸収部は、前記弾性片に変位量を超えた力が加わったときに、前記押上部を前記弾性片の変位方向に撓ませ、前記弾性片に加わる力を逃がすバネ部であることを特徴とする。
【００１０】
このコネクタでは、押上部に、弾性片の変位量を超えて接点部が回路基板の導体部と接触するときに、弾性片の変位を許容する吸収部が設けられているので、弾性片が許容できる変位量以上に弾性片に対して変位しようとする力が加わったとしても、吸収部によって弾性片を変位させることができ、弾性片に加わる変位量を超えた力を逃がすことができる。
【００１１】
従って、このようなコネクタでは、吸収部によって弾性片に変位量を超えた力が加わった状態が継続されることを防止できるので、弾性片の永久変形を抑制でき、所望の接触荷重を保持することができる。
【００１３】
このコネクタでは、吸収部が、押上部を弾性片の変位方向に撓ませるバネ部であるので、バネ部の弾性力を変更することにより、容易に弾性片の変位量に対応することができる。
【００１４】
請求項２記載の発明は、請求項１記載のコネクタであって、前記バネ部は、前記押上部を肉抜きすることによって形成されていることを特徴とする。
【００１５】
このコネクタでは、バネ部が、押上部を肉抜きすることによって形成されているので、押上部の肉厚によって容易にバネ部の弾性力を調整できると共に、ホルダを軽量化することができる。
【発明の効果】
【００１６】
本発明によれば、弾性片の永久変形を抑制でき、所望の接触荷重を保持することができるコネクタを提供することができるという効果を奏する。
【図面の簡単な説明】
【００１７】
【図１】本発明の実施の形態に係るコネクタの斜視図である。
【図２】本発明の実施の形態に係るコネクタのホルダを組付けるときの断面図である。
【図３】本発明の実施の形態に係るコネクタに基板ユニットを組付けたときの断面図である。
【図４】本発明の実施の形態に係るコネクタのホルダの斜視図である。
【図５】本発明の実施の形態に係るコネクタのホルダの一部を断面とした斜視図である。
【発明を実施するための形態】
【００１８】
図１〜図５を用いて本発明の実施の形態に係るコネクタについて説明する。
【００１９】
本実施の形態に係るコネクタ１は、ハウジング３と、このハウジング３の一側面側に設けられ複数の導体部が設けられた回路基板５の端部が挿入される挿入部７と、ハウジング３に収容され挿入部７に配置される箱部９を有する端子１１と、箱部９の内外に出没可能に設けられ回路基板５の導体部に接触される接点部１３を有する弾性片１５と、ハウジング３の挿入部７に組付けられるホルダ１７と、このホルダ１７に端子１１の箱部９側に向けて延設されホルダ１７がハウジング３に組付けられるときに弾性片１５と当接して弾性片１５を変位させて接点部１３を箱部９外に出させる押上部１９とを備えている。
【００２０】
そして、押上部１９には、弾性片１５の変位量を超えて接点部１３が回路基板５の導体部と接触するときに、弾性片１５の変位を許容する吸収部２１が設けられている。
【００２１】
また、吸収部２１は、押上部１９を弾性片１５の変位方向に撓ませるバネ部２３である。
【００２２】
さらに、バネ部２３は、押上部１９を肉抜きすることによって形成されている。
【００２３】
図１〜図５に示すように、ハウジング３は、合成樹脂などの絶縁性材料からなり、一側面側に基板ユニット２５の端部が挿入される挿入部７が設けられ、他側面側に複数の端子１１が挿入される端子挿入部２７が設けられている。
【００２４】
ハウジング３の挿入部７には、基板ユニット２５の端部が挿入される。基板ユニット２５は、合成樹脂などの絶縁性材料からなるユニットハウジング２９内に回路基板５がインサート成形されている。このユニットハウジング２９から露出する回路基板５の端部には、回路パターンを構成する複数の導体部（不図示）が幅方向に複数列設けられている。
【００２５】
このような基板ユニット２５は、複数の導体部側の端部がユニットハウジング２９の外周に設けられた溝部やリブ（不図示）とハウジング３に設けられた溝部３１やリブ３３とを介してハウジング３の挿入部７内に挿入され、ユニットハウジング２９とハウジング３とに設けられた係止部３５を介して係止される。
【００２６】
なお、基板ユニット２５とハウジング３との間には、基板ユニット２５とハウジング３とに密着して基板ユニット２５とハウジング３との間を防水するゴムパッキン３７が配置される。
【００２７】
このようなハウジング３の挿入部７には、内部に複数の端子１１の接点部１３が配置され、基板ユニット２５の端部が挿入されることにより、回路基板５の導体部と端子１１の接点部１３とが接触され、基板ユニット２５と複数の端子１１とが電気的に接続される。この挿入部７の反対側には、端子挿入部２７が設けられている。
【００２８】
ハウジング３の端子挿入部２７には、開口から複数の端子１１が挿入され、内部に設けられた端子収容室３９内に複数の端子１１が収容配置される。このハウジング３の端子挿入部２７の開口側には、複数の端子１１を挿入可能な複数の孔が設けられ、ハウジング３と複数の端子１１が端末部に設けられた電線４１とに密着してハウジング３の内部を防水するマットシール４３が配置される。
【００２９】
マットシール４３は、ハウジング３の端子挿入部２７に配置された後、複数の端子１１を挿入可能な複数の孔が設けられ、ハウジング３の端子挿入部２７の開口に組付けられるマットマットシールカバー４５によってハウジング３からの抜け止めがなされる。
【００３０】
複数の端子１１は、導電性材料からなり、箱部９を有する雌型端子となっている。また、複数の端子１１は、それぞれ電源や機器などに接続された電線４１の端末部に圧着などによって電気的に接続されている。
【００３１】
この複数の端子１１は、箱部９側がハウジング３の端子挿入部２７の開口から挿入され、箱部９が挿入部７側に位置するようにハウジング３内の端子収容室３９に収容される。このとき、端子１１の箱部９には、端子収容室３９内に撓み可能に設けられた係止ランス４７が係止され、ハウジング３からの抜け止めがなされる。
【００３２】
このような複数の端子１１は、ハウジング３の高さ方向に上段と下段とに上下対称に収容されると共に、ハウジング３の幅方向に並列に複数配列されて収容される。このようにハウジング３に収容される複数の端子１１の箱部９には、それぞれ接点部１３が設けられている。
【００３３】
接点部１３は、基端側が箱部９の上壁から底壁側に向けて延設された後、ハウジング３の挿入部７側に向けて屈曲されるように連続する一部材で形成され、自由端側が箱部９の上壁に向けて折り曲げ形成され、箱部９内に撓み可能に設けられた弾性片１５の自由端側に設けられている。
【００３４】
この接点部１３は、弾性片１５の箱部９の上壁側に向けた撓みによって、箱部９の上壁に形成された孔から箱部９の外部に露出可能に設けられており、弾性片１５が撓まない端子１１の搬送時や端子１１のハウジング３への収容時などでは、接点部１３が箱部９から露出しないように箱部９内に収容された状態となっている。
【００３５】
このため、接点部１３は、端子１１のハウジング３への収容までの間に箱部９から外部に露出しないので、端子１１の搬送時において、周辺部材などと干渉することがなく、接点部１３の変形を防止することができ、所望の接点部１３と回路基板５の導体部との接触荷重を得ることができる。
【００３６】
一方、接点部１３は、端子１１のハウジング３への収容までの間に箱部９から外部に露出しないので、端子１１のハウジング３への収容時において、箱部９がマットシールカバー４５やマットシール４３の複数の孔を挿通する際に、接点部１３がマットシールカバー４５やマットシール４３に干渉することがなく、マットシールカバー４５やマットシール４３の損傷を防止することができる。
【００３７】
このような接点部１３が設けられた端子１１を収容したハウジング３の挿入部７には、ホルダ１７が組付けられる。
【００３８】
ホルダ１７は、合成樹脂などの絶縁性材料からなり、ハウジング３の挿入部７からハウジング３内に収容される。また、ホルダ１７の高さ方向の両端部には、ハウジング３に収容された状態で、係止ランス４７の撓み空間に挿入され、係止ランス４７の撓みを規制する複数の規制突起４９が延設されている。
【００３９】
このホルダ１７の端子１１と対向する対向面には、ホルダ１７がハウジング３の挿入部７に挿入されることにより、端子１１の箱部９内に挿入されて弾性片１５の先端に当接される複数の押上部１９が端子１１側に向けて延設されている。
【００４０】
複数の押上部１９は、複数の端子１１と対応するように、ホルダ１７の高さ方向に上段と下段とに上下対称に形成されると共に、ホルダ１７の幅方向に並列に複数配列されて形成されている。また、押上部１９の先端側は、端子１１側からホルダ１７側に向けて上り傾斜となる傾斜面で形成されている。
【００４１】
この押上部１９は、ホルダ１７がハウジング３の挿入部７に挿入されることにより、端子１１の箱部９内に挿入され、傾斜面の先端が弾性片１５の先端に当接される。この状態からさらにホルダ１７をハウジング３の挿入部７に挿入することにより、弾性片１５の先端が傾斜面と摺動して弾性片１５が箱部９の上壁に向けて変位される。
【００４２】
この押上部１９による弾性片１５の変位により、接点部１３が箱部９の上壁の孔から箱部９外に出される。この箱部９の外部に接点部１３が露出された状態は、ホルダ１７がハウジング３に完全に組付けられた状態で、弾性片１５の折り曲げられた端部側の下面が押上部１９の上面と当接することによって保持される。
【００４３】
このように箱部９外に出された接点部１３は、ハウジング３の高さ方向に対向する一対の接点部１３，１３となる。この一対の接点部１３，１３間には、ハウジング３の挿入部７に基板ユニット２５が挿入されることにより、基板ユニット２５の端部が挿入され、回路基板５の導体部と接点部１３，１３とが接触されて基板ユニット２５と複数の端子１１とが電気的に接続される。
【００４４】
このように回路基板５の導体部に接触される接点部１３において、回路基板５の厚さが製造公差などによって厚くなってしまった場合、弾性片１５がそれ以上変位することができず、弾性片１５に変位量を超えた力が加わったまま、弾性片１５が押上部１９に押しつけられた状態となる。
【００４５】
このような弾性片１５が押上部１９に押しつけられた状態が継続されると、弾性片１５に永久変形が生じ、予め設定した弾性片１５の弾性力が得られなくなり、回路基板５の導体部と接点部１３との接触における所望の接触荷重を得ることができない可能性があった。
【００４６】
そこで、押上部１９には、弾性片１５の変位量を超えて接点部１３が回路基板５の導体部と接触するときに、弾性片１５の変位を許容する吸収部２１が設けられている。
【００４７】
吸収部２１は、押上部１９の中央部を厚さ方向（ここでは図５における左右方向）に肉抜きし、弾性片１５の変位方向（ここでは図５における上下方向）に撓み可能に設けられたバネ部２３となっている。
【００４８】
このバネ部２３は、弾性片１５の変位方向の肉厚が弾性片１５の変位量を超えた状態で撓むように設定されている。なお、バネ部２３の撓みの設定は、厚さ方向の肉厚を調整することによって設定してもよい。
【００４９】
このようなバネ部２３は、回路基板５の厚さが厚くなるなどのように、弾性片１５に変位量を超えた力が加わった場合、弾性片１５に加わる力と同じ方向に向けて撓み、押上部１９を変位させ、弾性片１５を変位させて弾性片１５に加わる力を逃がす。
【００５０】
このように弾性片１５に変位量を超えた力が加わったときにバネ部２３によって押上部１９を変位させることにより、弾性片１５が変位されて弾性片１５が押上部１９に押しつけられた状態が継続されることがなく、弾性片１５に永久変形が生じることを大幅に抑制することができる。
【００５１】
このようなコネクタ１では、押上部１９に、弾性片１５の変位量を超えて接点部１３が回路基板５の導体部と接触するときに、弾性片１５の変位を許容する吸収部２１が設けられているので、弾性片１５が許容できる変位量以上に弾性片１５に対して変位しようとする力が加わったとしても、吸収部２１によって弾性片１５を変位させることができ、弾性片１５に加わる変位量を超えた力を逃がすことができる。
【００５２】
従って、このようなコネクタ１では、吸収部２１によって弾性片１５に変位量を超えた力が加わった状態が継続されることを防止できるので、弾性片１５の永久変形を抑制でき、所望の接触荷重を保持することができる。
【００５３】
また、吸収部２１は、押上部１９を弾性片１５の変位方向に撓ませるバネ部２３であるので、バネ部２３の弾性力を変更することにより、容易に弾性片１５の変位量に対応することができる。
【００５４】
さらに、バネ部２３は、押上部１９を肉抜きすることによって形成されているので、押上部１９の肉厚によって容易にバネ部２３の弾性力を調整できると共に、ホルダ１７を軽量化することができる。
【００５５】
なお、本発明の実施の形態に係るコネクタでは、ハウジングの幅方向に複数列配置された複数の端子が２段配置されているが、これに限らず、４段以上配置させるなど、基板ユニットの端部が挿入される挿入部を複数設けてもよい。
【００５６】
また、端子の接点部は、端子を上下対称に配置させることによって一対の接点部となっているが、これに限らず、１つの端子に一対の接点部を設けてもよい。
【００５７】
さらに、吸収部は、バネ部となっているが、これに限らず、例えば、押上部をゴムなどの弾性部材で形成してもよく、弾性片に変位量を超えた力が加わったときに弾性片を変位させることができるものであれば、吸収部はどのような構造であってもよい。
【符号の説明】
【００５８】
１…コネクタ
３…ハウジング
５…回路基板
７…挿入部
９…箱部
１１…端子
１３…接点部
１５…弾性片
１７…ホルダ
１９…押上部
２１…吸収部
２３…バネ部
【図１】
0006666647.tif 000002
【図２】
0006666647.tif 000003
【図３】
0006666647.tif 000004
【図４】
0006666647.tif 000005
【図５】
0006666647.tif 000006